(57)【要約】【課題】搬送車と浴槽とからなる入浴装置において、被介助者の実際の入浴時間を正確に計測可能にすること。【解決手段】シャワー浴槽１と、搬送車５と、天井シャワースイッチ３ｆと、入浴時間計測部と、シャワー浴槽１と搬送車５とのドッキングを検知するスイッチと、を備え、天井シャワースイッチ３ｆに入浴開始の指示が入力され、その後、スイッチによってシャワー浴槽１と搬送車５とがドッキングしたことが検知されると、前記時間計測部は、検知スイッチによる前記検知からの経過時間を計測する。【選択図】図３
2019037532.tif 000002
【特許請求の範囲】
【請求項１】
浴槽と、
前記浴槽に対して所定位置にセットされる搬送車と、
入浴開始を指示する操作が入力される操作部と、
時間を計測する時間計測部と、
前記浴槽に対して前記搬送車が前記所定位置にセットされた状態を検知する検知部と、
を備え、
前記操作部に前記入浴開始の指示が入力され、その後、前記検知部によって前記浴槽に対して前記搬送車が前記所定位置にセットされた状態が検知されると、前記時間計測部は、前記検知部による前記検知からの経過時間を計測する、ことを特徴とする入浴装置。
【請求項２】
浴槽と、
前記浴槽に対して所定位置にセットされる搬送車と、
入浴開始を指示する操作が入力される操作部と、
時間を計測する時間計測部と、
前記浴槽に対して前記搬送車が前記所定位置にセットされた状態を検知する検知部と、
を備え、
前記時間計測部は、前記操作部に前記入浴開始の指示が入力されると前記時間の計測を開始し、その後、前記検知部によって前記浴槽に対して前記搬送車が前記所定位置にセットされた状態が検知されると、計測していた前記時間をリセットし前記検知からの経過時間を計測する、ことを特徴とする入浴装置。
【請求項３】
前記時間計測部が計測していた時間をリセットした後、前記操作部に入浴終了の指示が入力されるまでの間に、前記検知部によって、前記浴槽に対して前記搬送車が前記所定位置にセットされた状態が解除され、その後、前記浴槽に対して前記搬送車が前記所定位置にセットされた状態が検知されても、計測していた時間をそのままにして続けて計測する、請求項２に記載の入浴装置。
【請求項４】
前記時間計測部が計測していた時間をリセットした後、前記操作部に入浴終了の指示が入力されるまでの間に、前記検知部によって、前記浴槽に対して前記搬送車が前記所定位置にセットされた状態が解除され、その後、前記浴槽に対して前記搬送車が前記所定位置にセットされた状態が検知されたとき、前記浴槽に対して前記搬送車が前記所定位置にセットされた状態が解除されてから前記浴槽に対して前記搬送車が前記所定位置にセットされるまでの経過時間が所定時間以上の場合には、計測していた時間をリセットする、請求項２または３に記載の入浴装置。
【請求項５】
前記時間計測部および前記検知部を、前記浴槽または前記搬送車に設けた、請求項１ないし４のいずれかに記載の入浴装置。
【請求項６】
前記浴槽は、シャワー浴槽である、請求項１ないし５のいずれかに記載の入浴装置。
【請求項７】
前記搬送車には被介助者を乗せるための乗部が取り付けられており、前記搬送車を前記浴槽に挿入して入浴を行う、ことを特徴とする請求項１ないし６のいずれかに記載の入浴装置。
【請求項８】
前記搬送車は、担架を分離可能に載置し、前記搬送車と前記浴槽との間で前記担架が移動可能である、ことを特徴とする請求項１ないし６のいずれかに記載の入浴装置。
【発明の詳細な説明】
【技術分野】
【０００１】
本発明は、被介助者をシャワー浴させるための入浴装置に関する。
【背景技術】
【０００２】
下記特許文献１に示すように、従来、浴槽が昇降して高齢者などの被介助者を入浴させる入浴装置において、入浴経過時間を自動で計測して表示するものが知られている。この入浴装置においては、浴槽の上昇指示と同時に、または、浴槽が所定位置にまで上昇すると、入浴経過時間の計測が自動開始され、入浴経過時間の計測は浴槽の下降指示と同時に、又は上昇状態にある浴槽が所定位置にまで下降すると自動停止される。
【先行技術文献】
【特許文献】
【０００３】
【特許文献１】特開２００７−２５６号公報
【発明の概要】
【発明が解決しようとする課題】
【０００４】
しかしながら、複数のシャワーノズルを設けた浴槽で入浴する入浴装置では、被介助者を浴槽内に入れる前に、シャワーノズルから湯水を噴射して浴槽内を暖める暖気運転を行い、所定時間経過後、被介助者を浴槽内に入れてシャワー浴を行うため、暖気運転の開始と同時に入浴経過時間の計測を開始すると、実際にシャワー浴を行っている時間との差異が生じるという課題があった。
【０００５】
本発明は、このような課題を解決するものであり、シャワー浴などを行う入浴装置において、実際に入浴している時間を正確に計測できるようにすることを目的とする。
【課題を解決するための手段】
【０００６】
本発明は、上記目的を達成するため、以下の手段を提供する。
【０００７】
(１)本発明第１に係る入浴装置は、浴槽と、前記浴槽に対して所定位置にセットされる搬送車と、入浴開始を指示する操作が入力される操作部と、時間を計測する時間計測部と、前記浴槽に対して前記搬送車が前記所定位置にセットされた状態を検知する検知部と、を備え、前記操作部に前記入浴開始の指示が入力され、その後、前記検知部によって前記浴槽に対して前記搬送車が前記所定位置にセットされた状態が検知されると、前記時間計測部は、前記検知部による前記検知からの経過時間を計測する、ことを特徴とする。
【０００８】
（２）本発明第２に係る入浴装置は、浴槽と、前記浴槽に対して所定位置にセットされる搬送車と、入浴開始を指示する操作が入力される操作部と、時間を計測する時間計測部と、前記浴槽に対して前記搬送車が前記所定位置にセットされた状態を検知する検知部と、を備え、前記時間計測部は、前記操作部に前記入浴開始の指示が入力されると前記時間の計測を開始し、その後、前記検知部によって前記浴槽に対して前記搬送車が前記所定位置にセットされた状態が検知されると、計測していた前記時間をリセットし前記検知からの経過時間を計測する、ことを特徴とする。
【０００９】
本発明第１、第２によれば、入浴開始の指示から実際に入浴するまでに待ち時間が経過する入浴装置、例えばシャワー入浴装置のように、実際の入浴前に暖気運転を行うような入浴装置において、実際の入浴時間を正確に計測することができ、被介助者による時間計測の手間を簡略化することができる。
【００１０】
（３）本発明の好ましい実施態様では、前記時間計測部が計測していた時間をリセットした後、前記操作部に入浴終了の指示が入力されるまでの間に、前記検知部によって、前記浴槽に対して前記搬送車が前記所定位置にセットされた状態が解除され、その後、前記浴槽に対して前記搬送車が前記所定位置にセットされた状態が検知されても、計測していた時間をそのままにして続けて計測する。
【００１１】
この実施態様によれば、入浴中に誤操作や誤動作により所定位置にある搬送車が所定位置外に動き、その後すぐに所定位置に戻された場合でも計測していた時間がリセットされないために、各被介助者の入浴時間を正確に計測することができる。
【００１２】
（４）本発明の好ましい実施態様では、前記時間計測部が計測していた時間をリセットした後、前記操作部に入浴終了の指示が入力されるまでの間に、前記検知部によって、前記浴槽に対して前記搬送車が前記所定位置にセットされた状態が解除され、その後、前記浴槽に対して前記搬送車が前記所定位置にセットされたことが検知されたとき、前記浴槽に対して前記搬送車が前記所定位置にセットされた状態が解除されてから前記浴槽に対して前記搬送車が前記所定位置にセットされるまでの経過時間が所定時間以上の場合には、計測していた時間をリセットする。
【００１３】
この実施態様によれば、被介助者を浴槽に入れ替える場合でも、各被介助者の入浴時間を正確に計測することができる。
【００１４】
（５）本発明の好ましい実施態様では、前記時間計測部および前記検知部を、前記浴槽または前記搬送車に設けている。
【００１５】
（６）本発明の好ましい実施態様では、前記浴槽は、シャワー浴槽である。
【００１６】
（７）本発明の好ましい実施態様では、前記搬送車には、被介助者を乗せるための乗部が取り付けられており、前記搬送車を前記浴槽に挿入して入浴を行う。
【００１７】
（８）本発明の好ましい実施態様では、前記搬送車は、担架を分離可能に載置し、前記搬送車と前記浴槽との間で前記担架が移動可能である。
【発明の効果】
【００１８】
本発明によれば、実際に入浴している時間を正確に計測することができる。
【図面の簡単な説明】
【００１９】
【図１】実施形態１の入浴装置におけるシャワー浴槽の斜視図。
【図２】シャワー浴槽の操作表示画面図。
【図３】シャワー浴槽に搬送車が挿入されてドッキングした入浴装置の斜視図。
【図４】図３の入浴装置の検知スイッチ周辺の拡大断面斜視図。
【図５】入浴時間の計測例１のフローチャート。
【図６】入浴時間の計測例２のフローチャート。
【図７】入浴時間の計測例３のフローチャート。
【図８】実施形態２の入浴装置の斜視図。
【図９】実施形態２の入浴装置において、搬送車とシャワー浴槽それぞれのドッキング機構部の説明に用いる断面斜視図。
【発明を実施するための形態】
【００２０】
以下、添付した図面を参照して、本発明の実施形態に係る入浴装置を説明する。
【００２１】
（実施形態１）
図１ないし図３を参照して、シャワー浴槽１は、長手方向一方に延びる固定台部１ａと、固定台部１ａの長手方向一方側（図中、左方）で略鉛直に立設された後方側部１ｂと、後方側部１ｂの上縁から長手方向他方（図中、右方）へ固定台部１ａと平行に延びて該固定台部１ａと鉛直方向で対向する天井部１ｃとを有して、側面視片仮名の「コ」の字形状となり、前面及び左右両側面とが開放されている。シャワー浴槽１は、シャワー浴槽１の殺菌・洗浄処理等のためのハンドシャワー２が備えられている。天井部１ｃは、その下面に複数の噴射ノズル（不図示）が設けられ、固定台部１ａの上面に湯水を噴射することが可能になっている。シャワー浴槽１は、複数の設置脚１ｄで、浴槽設置面に設置される。
【００２２】
固定台部１ａは、長手方向において前方側１ａ１と後方側１ａ２とを有し、前方側１ａ１の下面は、後方側１ａ２の下面よりも浴槽設置面から高くされて、浴槽設置面との間で図３で示す搬送車５の台車部６の一部が挿入可能なスペースＳ１が存在する。また、シャワー浴槽１においては、固定台部１ａの上面と天井部１ｃの下面との間に図３で示す搬送車５の載置部８の一部が挿入可能なスペースＳ２を有する。
【００２３】
搬送車５は、シャワー浴槽１に前記スペースＳ１,Ｓ２を利用して、図１に示す矢印Ａの方向（縦方向）に挿入され、図３に示すようにシャワー浴槽１にドッキングすることができる。搬送車５は、横方向（矢印Ａと直交する方向）からの挿入も可能である。ここで、ドッキングとは、シャワー浴槽１に対して搬送車５が所定位置にセットされた状態である。また、ドッキングの解除とは、シャワー浴槽１に対して搬送車５が所定位置外となる状態である。
【００２４】
このようなシャワー浴槽１の天井部１ｃの側面１ｅには、操作表示画面３が設けられている。
【００２５】
この操作表示画面３には、図２に示すように、電源スイッチ部３ａ、シャワー温度表示部３ｂ、入浴時間表示部３ｃ、天井シャワー設定温度表示部３ｄ、天井シャワー温度設定操作部３ｅ、及び天井シャワースイッチ３ｆ、ボディソープスイッチ３ｇが設けられている。
【００２６】
図３は、実施形態１の入浴装置４を示す。入浴装置４は、図１及び図２で説明したシャワー浴槽１と、被介助者をシャワー浴槽１にまで搬送するための搬送車５とからなる。搬送車５は、台車部６と、短手方向一対のフレーム部７ａ，７ｂと、載置部８と、一対のサイドフェンス９ａ，９ｂと、乗部１０とを備える。台車部６は、複数の車輪６ａ、操作ペダル６ｂ、等を備える。フレーム部７ａ，７ｂは、載置部８を支持するとともに該載置部８を昇降するリンク機構を構成する。乗部１０は、被介助者が乗り込む部分であり、長手方向に延びる乗部本体１０ａと、乗部本体１０ａに置かれた枕部１０ｂと、を備える。乗部１０は搬送車５に取り付けられており、搬送車５から分離するものではない。
【００２７】
搬送車５の台車部６の浴槽設置面上からの高さはシャワー浴槽１の前記スペースＳ１に対応し、載置部８の浴槽設置面上からの高さはシャワー浴槽１の前記スペースＳ２に対応している。搬送車５は、台車部６と載置部８との間に、シャワー浴槽１の固定台部１ａの前方側１ａ１に対応したスペースＳ３を有する。したがって、搬送車５は、図３に示すように、シャワー浴槽１に縦方向または横方向から台車部６と載置部８を挿入させてシャワー浴槽１にドッキングすることができる。
【００２８】
図４に示すように、シャワー浴槽１における固定台部１ａの前方側１ａ１の下面奥側に検知スイッチ１１が設けられている。検知スイッチ１１は、シャワー浴槽１と搬送車５とのドッキング状態（ドッキングとその解除）を検知するスイッチである。図４は、入浴装置４の検知スイッチ１１の周辺を示す拡大断面斜視図である。
【００２９】
図４を参照して検知スイッチ１１を説明する。
【００３０】
検知スイッチ１１は、一例として、図示略の接点を有するスイッチ本体１１ａと、一端側がスイッチ本体１１ａに軸支された接点押圧体１１ｂと、を備えたリミットスイッチである。接点押圧体１１ｂが回動することでスイッチ本体１１ａの接点を押圧・押圧解除して当該検知スイッチ１１をオン・オフさせる。
【００３１】
シャワー浴槽１の固定台部１ａには、作動体１２が設けられている。搬送車５がシャワー浴槽１に挿入されるに伴い、搬送車５の台車部６に設けられたガイドローラー１３が作動体１２に接触して押すことにより、作動体１２が図中矢印Ｃ方向にスライド移動して接点押圧体１１ｂに接触する。これにより接点押圧体１１ｂは回動してスイッチ本体１１ａの接点を押圧することで検知スイッチ１１をオンする。検知スイッチ１１のオン出力は、シャワー浴槽１内の制御部（図示略）に入力され、これにより搬送車５とシャワー浴槽１とのドッキングが検出される。また、搬送車５がシャワー浴槽１から離脱していくに伴い、作動体１２は矢印Ｃ方向とは反対の矢印Ｂ方向にスライド移動し、接点押圧体１１ｂによるスイッチ本体の接点の押圧が解除される。この検知スイッチ１１のオフ出力は、シャワー浴槽１内の制御部に入力され、これにより搬送車５とシャワー浴槽１とのドッキング解除が検出される。なお、作動体１２は、図中矢印Ｂ方向に図示略のバネ部材で付勢されている。このように、検知スイッチ１１および作動体１２は、シャワー浴槽１と搬送車５とのドッキング状態（ドッキングとその解除）を検知する検知部を構成する。
【００３２】
また、シャワー浴槽１と搬送車５とがドッキング状態になったとき、図４に示すように、シャワー浴槽１の固定台部１ａに設けられた仮ロック軸１４が、搬送車５の台車部６に設けられた仮ロック金具１５に嵌合し、搬送車５がシャワー浴槽１に対して仮固定される。仮ロック軸１４はばね部材１６で鉛直下方に付勢されている。また仮ロック軸１４の下方側端部がほぼ円錐形状になっており、その円錐表面が仮ロック金具１５と接触して押されることで仮ロック軸１４は上下に移動する。仮固定がなされた後、操作ペダル６ｂを被介助者が踏み込むと台車部６に鉛直方向に進退可能な接地脚（図示略）が床面に接地し搬送車５が固定される。
【００３３】
入浴装置４においては、被介助者の実際の入浴時間を正確に計測するため、図５のフローチャートに従う制御を行う。図５を参照して、シャワー浴槽１に入浴する入浴時間を正確に計測するための入浴時間計測例１を説明する。
【００３４】
シャワー浴槽１に搬送車５をドッキングさせてシャワー浴を開始する際は、操作表示画面３の電源スイッチ部３ａをオン操作（スイッチオン）し、天井シャワー設定温度表示部３ｄに表示された設定温度を変える場合には、天井シャワー温度設定操作部３ｅを操作し、ついで、天井シャワースイッチ３ｆをオン操作（スイッチオン)する。天井シャワースイッチ３ｆは、入浴開始を指示する操作信号を制御部に入力するための操作部である。また、制御部は、時間計測部としての機能を有する。制御部は、特に図示しないが、マイクロコンピュータで構成されている。
【００３５】
制御部は、ＣＰＵ、メモリ等を含み、メモリには必要なプログラムが格納され、ＣＰＵは操作表示画面３のスイッチ操作に従い、格納されたプログラムに従い、必要な制御を行う。
【００３６】
すなわち、制御部は、操作表示画面３に対する介助者のスイッチ操作を検知し、その検知に対応した制御を行うと共に、計測時間等の必要なデータの表示制御を行う。操作表示画面３の天井シャワースイッチ３ｆが押下されると、制御部は、入浴開始の指示が入力されたこと（天井シャワースイッチ３ｆのスイッチオン）を検出し、再度、スイッチオン状態の天井シャワースイッチ３ｆが押下されると、制御部は、入浴終了の指示が入力されたこと（天井シャワースイッチ３ｆのスイッチオフ）を検出する。
【００３７】
以下、図５のフローチャートに従い、入浴時間計測例１を説明すると、ステップＳ１において、制御部は、天井シャワースイッチ３ｆがスイッチオンか否か、すなわち、入浴開始の指示が入力されたか否かを検出する。ついで、ステップＳ２において、制御部は、検知スイッチ１１の検知出力に基いて、シャワー浴槽１と搬送車５とのドッキングを検出すると、ステップＳ３において、入浴時間の計測を開始するとともに、入浴時間表示部３ｃに入浴時間を表示する。
【００３８】
ついで、ステップＳ４において、制御部は、天井シャワースイッチ３ｆがオフ操作（スイッチオフ）されたか否かを検出する。ステップＳ４で、天井シャワースイッチ３ｆがスイッチオフされたことを検出すると、ステップＳ５において、制御部は、入浴時間の計測を終了する。この計測では、入浴時間表示部３ｃに表示される入浴時間は、検知スイッチ１１の検知出力に基づいて搬送車５とシャワー浴槽１とのドッキングが検出されてから、天井シャワースイッチ３ｆがオフになるまでの時間となる。
【００３９】
図５の制御フローチャートに従う入浴時間計測例１では、天井シャワースイッチ３ｆの操作で入浴開始の指示がなされても、シャワー浴槽１と搬送車５とのドッキングが検出されない限り、入浴時間の計測を行わず、ドッキングが検出されると、入浴時間の計測を開始する。したがって、シャワー浴槽１の暖気運転等のため、天井シャワースイッチ３ｆがスイッチオンして入浴開始が指示されてからドッキングして実際に入浴するまでに時間が経過したとしても、前記ドッキングが検出されてから入浴時間の計測を開始するので、実際の入浴時間を正確に計測することができる。これにより、介助者による入浴時間の計測手間を簡略化することができる。
【００４０】
次に、図６を参照して入浴時間計測例２を説明する。この入浴時間計測例２では、入浴時間計測例１とは異なり、天井シャワースイッチ３ｆがスイッチオンされたことを検出すると、シャワー浴槽１と搬送車５とのドッキングを検出することなく、入浴時間の計測を開始する。
【００４１】
ステップＳ６は、図５のステップＳ１と同様のステップである。
【００４２】
ステップＳ６において、制御部は、天井シャワースイッチ３ｆのスイッチオンを検出すると、ステップＳ７において、入浴時間の計測を開始し、入浴時間を入浴時間表示部３ｃに表示する。ついで、制御部は、入浴時間の計測開始後から、ステップＳ８において、制御部はシャワー浴槽１と搬送車５とのドッキングを検出すると、ステップＳ９において、それ以前に計測していた入浴時間をリセットして「ゼロ」にするとともに、それ以降の入浴時間の計測を開始するとともに、入浴時間表示部３ｃに表示する。
【００４３】
次いで、制御部は、ステップＳ１０において、シャワー浴槽１と搬送車５とのドッキングが解除され、その後、ドッキングしても、入浴時間の計測と、その計測時間の表示を継続し、ステップＳ１１において、天井シャワースイッチ３ｆのスイッチオフを検出すると、ステップＳ１２において、入浴時間の計測と表示とを終了する。この入浴時間計測例２によれば、入浴時間表示部３ｃに表示される入浴時間は、天井シャワースイッチ３ｆをオンした後にドッキング検出してから天井シャワースイッチ３ｆのスイッチオフ検出までの時間となる。
【００４４】
したがって、入浴時間計測例２によれば、天井シャワースイッチ３ｆのスイッチオンで入浴開始の指示がなされ、入浴時間の計測が開始されても、シャワー浴槽１と搬送車５とのドッキングが検出されると、それまでの入浴時間の計測はリセットされ、それ以降の入浴時間の計測が開始される。そのため、入浴開始の指示からドッキングして実際に入浴するまでに時間が経過しても、実際の入浴時間を正確に計測することができる。これにより、入浴時間計測例２では、介助者による入浴時間の計測手間を簡略化することができる。
【００４５】
入浴時間計測例２においては、被介助者のシャワー浴を行っているときは、シャワー浴槽１は搬送車５とドッキングされているが、シャワー浴中に誤動作などで搬送車５が動いてシャワー浴槽１とのドッキングが一旦解除され、その後、再度ドッキングしても、シャワー浴が終了するまで入浴時間の計測はリセットされることなく、入浴時間の計測が行われる。これにより、実際の入浴時間を正確に計測することができる。
【００４６】
次に、図７を参照して入浴時間計測例３を説明する。
【００４７】
入浴時間計測例３は、入浴時間計測例２のステップＳ６〜Ｓ１２に対して、ステップＳ９とＳ１１との間に、ステップＳ１０１〜Ｓ１０３を追加したものである。
【００４８】
以下、入浴時間計測例３を説明する。入浴時間の計測例２と同様のステップＳ６〜Ｓ９の説明は省略する。図７のステップＳ１１、Ｓ１２は、図６のステップＳ１１、Ｓ１２と同様である。入浴時間計測例３においては、制御部は、ステップＳ９での処理が終了すると、ステップＳ１１に処理を進める。ステップＳ１１において、天井シャワースイッチ３ｆのスイッチオフが検出されないと、シャワー浴中にシャワー浴槽１と搬送車５とのドッキングが解除された否かを検出するために、処理をステップＳ１１からステップＳ１０１に移行する。
【００４９】
ステップＳ１０１において、制御部は、シャワー浴槽１と搬送車５とのドッキング解除が検出されたか否かを判断する。ドッキング解除を検出しないと判断すると、制御部は、処理をステップＳ１１に戻す。
【００５０】
ステップＳ１０１において、ドッキング解除が検出されたと判断すると、制御部は、処理をステップＳ１０２に進める。ステップＳ１０２においては、制御部は、再び、ドッキングが検出されたか否かを判断する。制御部は、ステップＳ１０２においてドッキングが検出されるまでステップＳ１０２の処理を行い、ドッキングが検出されたと判断すると、ステップＳ１０３に移行する。
【００５１】
ステップＳ１０３においては、ステップＳ１０１からステップＳ１０２までの時間ｔ、すなわち、ドッキング解除検出からドッキング検出に至るまでの時間ｔが所定時間以上であると判断すると、ステップＳ９に処理を戻し、前記時間ｔが所定時間未満であると判断すると、ステップＳ１１に戻す。
【００５２】
入浴時間計測例３によれば、以下の効果がある。
【００５３】
入浴時間計測例３によれば、ドッキング解除検出からドッキング検出に至るまでの時間ｔが所定時間以上であれば、入浴時間をリセットして「ゼロ」とし、前記時間ｔが所定時間未満であれば、入浴時間の計測をリセットしないように制御する。ここで、所定時間としては例えば２〜５分の間で設定される。これにより、シャワー浴槽１の天井部１ｃの噴射ノズルから湯水を噴射した状態のまま、誤動作などで一旦ドッキングが解除され、その後すぐに再びドッキングした場合には、入浴時間の計測はリセットされないために入浴時間を正確に計測することができる。また、シャワー浴槽１の天井部１ｃの噴射ノズルから湯水を噴射状態のまま、被介助者をシャワー浴槽１に入れ替える場合には、各被介助者ごとに入浴時間がリセットされるため入浴時間を正確に計測することができる。
【００５４】
（実施形態２）
図８を参照して実施形態２に係る入浴装置４Ａを説明する。実施形態１に係る入浴装置４では、搬送車５はシャワー浴槽１に挿入されてドッキングされるが、図８に示す実施形態２の入浴装置４Ａは、搬送車５Ａとシャワー浴槽１Ａとからなり、搬送車５Ａはシャワー浴槽１Ａに横付けされてドッキングされる。
【００５５】
シャワー浴槽１Ａは、図１のシャワー浴槽１とは異なり、固定台部１ａの下面の浴槽設置面からの高さは長手方向において同等に低くなっており、固定台部１ａの下面と浴槽設置面との間に搬送車５Ａの台車部６Ａが挿入可能なスペース（シャワー浴槽１のスペースＳ１に相当するスペース）は存在しない。シャワー浴槽１Ａの上面には、搬送車５Ａ上の担架２０をスライド移動させるための一対の平行なレール２１ａ，２１ｂが設けられており、レール２１ａ，２１ｂは担架２０を載置する載置手段である。シャワー浴槽１Ａの固定台部１ａの側面には、搬送車５Ａとのドッキングのためのドッキング機構２２が設けられている。
【００５６】
シャワー浴槽１Ａの他の構成は、シャワー浴槽１と同じであるので、当該他の構成の説明は省略する。
【００５７】
搬送車５Ａは、台車部６Ａと、フレーム部７ｃ，７ｄと、載置部８と、一対のサイドフェンス９ａ，９ｂと、を備える。搬送車５Ａには、シャワー浴槽１Ａのレール２１ａ，２１ｂと平行な一対のレール（図示略）が設けられている。搬送車５Ａにおける一対のレール上に担架２０が分離可能に載置されており、この一対のレールは担架２０を載置する載置手段である。搬送車５Ａでは、フレーム部７ｃとフレーム部７ｄとの間に介助者出入り用スペースＳ４がある。
【００５８】
搬送車５Ａは、台車部６Ａ側面に後述のドッキング機構部１００（後述）を備え、このドッキング機構部１００がシャワー浴槽１Ａのドッキング機構部２２にドッキングすることでシャワー浴槽１に横付け状態でドッキングされる。搬送車５Ａとシャワー浴槽１Ａとが互いのドッキング機構部１００，２２でドッキングされると、制御部は、シャワー浴槽１Ａと搬送車５Ａとのドッキングを検知する。このように、制御部は、検知部として、前記両ドッキング機構部１００，２２を介して前記ドッキングを検知する機能を有する。
【００５９】
図９を参照して、台車部６Ａのドッキング機構部１００とシャワー浴槽１Ａのドッキング機構部２２とを説明する。
【００６０】
台車部６Ａのドッキング機構部１００は、搬送車５Ａ側のドッキングレバー１０１と、ドッキングレバー１０１が取り付けられる軸１０２と、軸１０２に巻装されたバネ部材１０３とを有する。ドッキングレバー１０１は、バネ部材１０３で時計回り方向に付勢されている。
【００６１】
シャワー浴槽１Ａのドッキング機構部２２は、シャワー浴槽１Ａの側面に突設されたドッキングケース２２ａと、ドッキングケース２２ａの上面に形成された係入穴２２ｂと、ドッキングケース２２ａ内部に設けられたシャワー浴槽１Ａ側のドッキングレバー２２ｃと、検知スイッチ（検知部）２２ｄとを有している。検知スイッチ２２ｄは、例えば前述の検知スイッチ１１と同様のリミットスイッチである。
【００６２】
図８に示すように、搬送車５Ａがシャワー浴槽１Ａに横付けされると、搬送車５Ａ側のドッキングレバー１０１が、ドッキングケース２２ａ上面の係入穴２２ｂに係入し、シャワー浴槽側のドッキングレバー２２ｃを押下する。それに伴い、検知スイッチ２２ｄの接点押圧体２２ｅが押下され、検知スイッチ２２ｄのスイッチ信号が制御部に入力され、制御部は搬送車５Ａとシャワー浴槽１Ａとのドッキングを検知する。このように、検知スイッチ２２ｄおよびドッキングレバー２２ｃは、シャワー浴槽１Ａと搬送車５Ａとのドッキング状態（ドッキングとその解除）を検知する検知部を構成する。
【００６３】
かかる入浴装置４Ａも、前記入浴時間計測例１ないし３と同様に被介助者の入浴時間を計測する。
【００６４】
（他の実施形態）
なお、実施形態１〜３では、時間計測部及び検知部はシャワー浴槽に設けられているが、搬送車に設けてもよい。時間計測部や入浴時間表示部等は、浴室内の任意の箇所に設置し、入浴装置の検知部等からの検知データを無線で送受信させるようにしてもよい。
【００６５】
本発明は、上述した実施形態に限定されるものではなく、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【００６６】
１，１Ａ  シャワー浴槽
４，４Ａ  入浴装置
３ｆ  天井シャワースイッチ（操作部）
５，５Ａ  搬送車
１１  検知スイッチ
２２ｄ  検知スイッチ
【図１】
2019037532.tif 000003
【図２】
2019037532.tif 000004
【図３】
2019037532.tif 000005
【図４】
2019037532.tif 000006
【図５】
2019037532.tif 000007
【図６】
2019037532.tif 000008
【図７】
2019037532.tif 000009
【図８】
2019037532.tif 000010
【図９】
2019037532.tif 000011